(57)【要約】【課題】別途カバー部材を要することなく、脚部材の幅方向内側に配置した電気配線と外部との干渉を防止した上で、電気配線を脚部材に取り付けた機能部品まで容易に至らしめることができる椅子を提供する。【解決手段】座体の幅方向の外側を支持ブラケット１５の座支持部１８を介して支持する脚部材２と、脚部材２に固定された支持ブラケット１５の背支持部１９の幅方向外側に取り付け可能な機能部品と、を備え、脚部材２における幅方向内側には、機能部品に至る電気配線２３を配置可能な配線配置部１２Ｃと、支持ブラケット１５の座支持部１８が取り付けられるブラケット取り付け部１１と、を備え、背支持部１９に機能部品が取り付けられる外側脚部材２Ｂには、座支持部１８とブラケット取り付け部１１との間に、座支持部１８とブラケット取り付け部１１とを幅方向で離間させるスペーサ部材２５を備えている。【選択図】図６
2018164668.tif 000002
【特許請求の範囲】
【請求項１】
座体と、
前記座体の幅方向の外側を座支持部材を介して支持する脚部材と、
前記脚部材の脚本体、または前記脚部材に固定された付設部材に対し、前記幅方向の外側に取り付け可能な機能部品と、を備え、
前記脚部材における前記幅方向の内側には、前記機能部品に至る電気配線を配置可能な配線配置部と、前記座支持部材が取り付けられる部材取り付け部と、を備え、
前記脚本体または前記付設部材に前記機能部品が取り付けられる脚部材には、前記座支持部材と前記部材取り付け部との間に、前記座支持部材と前記部材取り付け部とを前記幅方向で離間させるスペーサ部材を備えている椅子。
【請求項２】
前記機能部品が取り付けられない脚部材は、前記スペーサ部材を有さず、前記座体を第一の幅方向位置で支持した第一の座支持状態となり、
前記機能部品が取り付けられる脚部材は、前記スペーサ部材を有し、前記座体を前記第一の幅方向位置よりも外側の第二の幅方向位置で支持した第二の座支持状態となる請求項１に記載の椅子。
【請求項３】
前記スペーサ部材は、前記座支持部材および前記部材取り付け部に対して着脱可能である請求項１又は２に記載の椅子。
【請求項４】
前記スペーサ部材は、前記座支持部材および前記部材取り付け部の少なくとも一方に対して固着されている請求項１又は２に記載の椅子。
【請求項５】
前記座体は、前記幅方向に沿う枢軸を介して、前記座支持部材に回動可能に支持されている請求項１から４の何れか一項に記載の椅子。
【請求項６】
前記脚部材または前記付設部材における側面視で前記機能部品と重なる部位には、前記電気配線を前記幅方向の内側から外側へ引き出し可能とする開口部を備えている請求項１から５の何れか一項に記載の椅子。
【発明の詳細な説明】
【技術分野】
【０００１】
本発明は、椅子に関する。
【背景技術】
【０００２】
従来、設置面に立設される荷重支持構造体としての脚部材と、この脚部材に支持された座体と、この脚部材に取り付けられた照明灯と、を備える椅子が公知である（例えば特許文献１，２参照）。
まず、文献１に開示される椅子では、脚部材が、起立部と、この起立部の上端部に載置され肘載せ面を形成する水平片と、からなる。脚部材は、前方からの断面視において略Ｔ字状をなす形状を有している。脚部材には、起立部の内側面と、水平片の下方の空間と、に渡って電気配線が配設されている。この電気配線をもって、起立部の外側面に配置された照明灯に通電がなされる。この構成は、脚部材を薄型化できる点で優れた効果を奏するが、電気配線、または電気配線が挿通された配管が、脚部材の幅方向内側、すなわち座体側に露呈するので、座体を回動させるタイプの椅子に対しては採用が難しい。
一方、文献２に開示される椅子では、脚部材の断面形状は文献１と同様に略Ｔ字状であるが、この脚部材の幅方向内側は、脚部材の最大奥行寸法および最大高さ寸法とほぼ等しい寸法を有する側面視矩形状のカバー部材で覆われている。そして、電気配線は、脚部材の下端部の幅方向内側からカバー部材の下端部高さで折り曲げられて脚部材の幅方向外側へ至り、そこから上方へ折り曲げられて照明灯まで案内される。このような構成を採用することによって、電気配線の座体への干渉や着座者の足への干渉を防止することができる。
【先行技術文献】
【特許文献】
【０００３】
【特許文献１】特開２００４−１５９７１１号公報
【特許文献２】特許第５６８０３７８号公報
【発明の概要】
【発明が解決しようとする課題】
【０００４】
しかし、文献２の構成は、脚部材の下部で幅方向外側に折曲されて脚部材の幅方向外側へ回り込ませた電気配線を、さらに上方に折曲させて照明灯へ至らしめるというように、電気配線の折曲作業が多いことから、施工の効率の面で課題がある。また、上方に折り曲げられた電気配線の暴れを防止するために、カバー部材を大きくする必要性があることから、材料費が過大となって椅子全体が高コストになる上に、前後方向の幅の小さな脚部材には採用し難いという課題がある。これらの課題を解決する手段として、脚部材の幅方向内側に沿って電気配線を折り曲げることなく照明灯と同等の高さまで案内することが考えられるが、この場合、座体の回動支持部の近傍を配線が通過することから、回動支持部や座体と電気配線との干渉が予想されるため、電気配線の案内が困難である。
本願発明は、上記の技術的課題に鑑みてなされたもので、別途カバー部材を要することなく、脚部材の幅方向内側に配置した電気配線と外部との干渉を防止した上で、電気配線を脚部材に取り付けた機能部品まで容易に至らしめることができる椅子を提供することを目的とする。
【課題を解決するための手段】
【０００５】
上記課題の解決手段として、本発明は、座体と、前記座体の幅方向の外側を座支持部材を介して支持する脚部材と、前記脚部材の脚本体、または前記脚部材に固定された付設部材に対し、前記幅方向の外側に取り付け可能な機能部品と、を備え、前記脚部材における前記幅方向の内側には、前記機能部品に至る電気配線を配置可能な配線配置部と、前記座支持部材が取り付けられる部材取り付け部と、を備え、前記脚本体または前記付設部材に前記機能部品が取り付けられる脚部材には、前記座支持部材と前記部材取り付け部との間に、前記座支持部材と前記部材取り付け部とを前記幅方向で離間させるスペーサ部材を備えている。
この構成によれば、照明灯等の機能部品が取り付けられる脚部材において、スペーサ部材を介して座支持部材および部材取り付け部を幅方向で離間させることで、配線配置部の幅方向位置によらず、座支持部材および部材取り付け部の間に配線スペースが確保されて電気配線を通しやすくなる。このため、脚部材の幅方向内側に沿って電気配線を照明灯と同等の高さまで案内した後、座支持部材および部材取り付け部の間のスペースを利用して、少ない屈曲で電気配線を機能部品に至らしめることが可能となる。したがって、別途カバー部材を要することなく、電気配線と座体や着座者の脚との干渉を防止した上で、少ない屈曲作業で電気配線を容易に機能部品に至らしめることができる。
【０００６】
本発明において、前記機能部品が取り付けられない脚部材は、前記スペーサ部材を有さず、前記座体を第一の幅方向位置で支持した第一の座支持状態となり、前記機能部品が取り付けられる脚部材は、前記スペーサ部材を有し、前記座体を前記第一の幅方向位置よりも外側の第二の幅方向位置で支持した第二の座支持状態となる構成でもよい。
この構成によれば、機能部品が取り付けられる脚部材と、機能部品が取り付けられない脚部材とを、スペーサ部材の有無によって共用可能となるため、脚部材の種類を減らしてコストダウンを図ることができる。
【０００７】
本発明において、前記スペーサ部材は、前記座支持部材および前記部材取り付け部に対して着脱可能である構成でもよい。
この構成によれば、スペーサ部材の着脱によって、機能部品が取り付けられる脚部材と、機能部品が取り付けられない脚部材とを、容易に切り替え可能となるため、施工および部品管理を容易にしてコストダウンを図ることができる。
【０００８】
本発明において、前記スペーサ部材は、前記座支持部材および前記部材取り付け部の少なくとも一方に対して固着されている構成でもよい。
この構成によれば、施工時の部品点数を減らすことができ、施工を容易にしてコストダウンを図ることができる。
【０００９】
本発明において、前記座体は、前記幅方向に沿う枢軸を介して、前記座支持部材に回動可能に支持されている構成でもよい。
この構成によれば、座体が枢軸回りに回動する椅子において、座体と電気配線との干渉を効果的に抑止することができる。
【００１０】
本発明において、前記脚部材または前記付設部材における側面視で前記機能部品と重なる部位には、前記電気配線を前記幅方向の内側から外側へ引き出し可能とする開口部を備えている構成でもよい。
この構成によれば、脚部材の幅方向内側に沿って電気配線を機能部品と同等の高さまで案内した後、開口部を通じて電気配線を容易に機能部品に至らしめることができる。
【発明の効果】
【００１１】
本発明によれば、別途カバー部材を要することなく、脚部材の幅方向内側に配置した電気配線と外部との干渉を防止した上で、電気配線を脚部材に取り付けた機能部品まで容易に至らしめることができる椅子を提供することができる。
【図面の簡単な説明】
【００１２】
【図１】本発明の実施形態における椅子の連結体を左前上方から見た斜視図である。
【図２】上記椅子の照明灯周辺を左後上方から見た斜視図である。
【図３】上記照明灯周辺を左側方から見た側面図である。
【図４】図３のＩＶ−ＩＶ断面図である。
【図５】図３のＶ−Ｖ断面図である。
【図６】上記椅子の座体の枢軸周辺を幅方向内側から見た斜視図である。
【図７】上記照明灯周辺を左後下方から見た斜視図である。
【図８】本発明の第二実施形態における椅子の照明灯周辺を左前上方から見た斜視図である。
【図９】第二実施形態の椅子の座体の枢軸周辺を幅方向内側から見た斜視図である。
【図１０】第二実施形態の照明灯周辺を左側方から見た側面図である。
【図１１】図１０のＸＩ−ＸＩ断面図である。
【図１２】図１０のＸＩＩ−ＸＩＩ断面図である。
【発明を実施するための形態】
【００１３】
以下、本発明の一実施形態について図面を参照して説明する。なお、以下の説明において、前後、上下、左右の向きは、特に記載がなければ、椅子１の座体３上で背凭れに背を向けて着座した着座者から見た向きと同一とする。図中適所には、上方を示す矢印ＵＰ、前方を示す矢印ＦＲ、左方を示す矢印ＬＨが記載されている。
【００１４】
＜第一実施形態＞
図１に示すように、本実施形態の椅子１は、該椅子１の幅方向（左右方向）に複数（図では三脚）並び、これらが一体的に連結されて連結椅子１００を構成している。連結椅子１００は、例えば劇場、講堂、ホール、会議場、待合室等において、建物の床面Ｆ上に前後方向で複数並び、床面Ｆに固定して設置されている。
【００１５】
個々の椅子１は、椅子１の幅方向に離間して床面Ｆ上に起立する左右一対の脚部材２と、左右脚部材２の間に配置される座体３と、座体３の後方に配置されて座体３よりも上方に起立する背凭れ４と、を備えている。
【００１６】
座体３は、左右脚部材２の間で着座面３ａを略水平にした使用状態（図中符号３で示す）と、使用状態での前側を上方に回動させて着座面３ａを起立させた収納状態（図中符号３’で示す）と、の間で回動可能である。座体３は、収納状態に向けて付勢された跳ね上げ式とされている。
【００１７】
座体３は、着座面３ａを形成する座クッション３ｂと、座クッション３ｂを着座面３ａと反対側の下面側から支持するパネル状の座フレーム３ｃと、を備えている。
座体３（座フレーム３ｃ）は、使用状態での後側において、左右脚部材２の幅方向内側に、左右方向に沿う枢軸１７を介して回動可能に支持されている。図中符号Ｃ１は枢軸１７の中心軸線（座体３の回動中心軸線）を示す。
【００１８】
脚部材２は、床面Ｆにアンカーボルト等で固定される接地脚５と、接地脚５の上方へ延びる脚本体６と、を備えている。脚本体６は、椅子１の幅方向に厚さ方向を向けた板状をなしている。脚本体６は、接地脚５と座体３を支持するブラケット取り付け部１１との間で前後幅を一定にして上下に延びる上下延出部７と、上下延出部７の上方で一旦上後方へ延びた後に前上方へ斜めに延びる手掛け部８と、を有している。手掛け部８は、利用者が手を掛ける他、使用状態の座体３よりも上方に突出することで、左右方向で隣り合う隣席との間の仕切りとしても機能する。
【００１９】
連結椅子１００において、各椅子１の一対の脚部材２の内、互いに隣り合う椅子１の間の脚部材２は、隣り合う椅子１同士で共用される中間脚部材２Ａとされている。中間脚部材２Ａは、脚本体６が幅方向で対称な形状をなしている。中間脚部材２Ａの脚本体６は、幅方向の両側面に、ブラケット取り付け部１１および肉抜き凹部１２をそれぞれ形成している。中間脚部材２Ａの脚本体６は、何れの中間脚部材２Ａでも使用可能な共通脚本体６Ａとされている。
【００２０】
連結椅子１００において、幅方向で最も外側（最外側）に位置する脚部材２は、本実施形態では中間脚部材２Ａとは異なる外側脚部材２Ｂとされている。外側脚部材２Ｂは、脚本体６が幅方向で非対称な形状をなしている。外側脚部材２Ｂの脚本体６は、幅方向内側の内側面のみにブラケット取り付け部１１および肉抜き凹部１２を形成し、脚本体６の幅方向外側の外側面は平坦面としている。外側脚部材２Ｂの脚本体６は、外側脚部材２Ｂのみで使用され、かつ左右の相異もある個別脚本体６Ｂとされている。
【００２１】
図３〜図６に示すように、ブラケット取り付け部１１は、脚本体６の内側面に対して幅方向内側に突出する側面視矩形状の枠部１１ａと、枠部１１ａの内側で脚本体６の内側面よりも幅方向外側に位置する底面１１ｃを形成する凹部１１ｂと、を有している。凹部１１ｂ内の適所には、支持ブラケット１５等を締結し固定するためのボス部１１ｄが形成されている。
【００２２】
肉抜き凹部１２は、接地脚５からブラケット取り付け部１１までの間で、脚本体６の内側面よりも一回り小さい側面視矩形状の範囲に形成されている。肉抜き凹部１２は、幅方向でブラケット取り付け部１１の凹部１１ｂの底面１１ｃと同等の深さにある底面１２ａと、底面１２ａの外周縁から幅方向内側へ広がりながら延びる傾斜外周面１２ｂと、を形成している。なお、手掛け部８の内外側面には、手掛け部８の側面視形状よりも一回り小さい肉抜き凹部９が、肉抜き凹部１２と同様の底面および傾斜外周面を有して形成されている。
【００２３】
図１〜図３に示すように、背凭れ４は、個々の椅子１の座体３の後方で、鉛直方向に対して後傾した姿勢で起立している。背凭れ４は、背凭れ面４ａを形成する背クッション４ｂと、背クッション４ｂを後方から支持する背ベース板４ｃと、を備えている。背クッション４ｂは、着座者の腰部を後方から支持し易いように、背凭れ面４ａの上下中間部よりも下側の位置を前方に凸の膨出形状としている。
【００２４】
背ベース板４ｃは、前後方向に対して前上がりに傾斜した傾斜方向に厚さ方向を向けた板状をなしている。背ベース板４ｃは、正面視で矩形状をなし、この背ベース板４ｃの下部の左右両側が、後述する左右支持ブラケット１５を介して、左右脚部材２にそれぞれ支持、固定されている。
【００２５】
図３〜図６に示すように、座体３は、枢軸１７を有する支持ブラケット１５を介して、左右脚部材２の幅方向内側に支持されている。支持ブラケット１５は、幅方向に厚さ方向を向けた鋼板からなるブラケット本体１６と、ブラケット本体１６の幅方向内側に固設された枢軸１７と、を備えている。支持ブラケット１５は、脚部材２の幅方向内側に設けられたブラケット取り付け部１１に締結、固定されている。
【００２６】
ブラケット本体１６は、脚部材２のブラケット取り付け部１１と幅方向で重なるように設けられる座支持部１８と、座支持部１８の後方に連なり側面視で脚部材２の後方に張り出すように設けられる背支持部１９と、を備えている。
【００２７】
座支持部１８は、枢軸１７の外側端部を結合して支持するとともに、脚部材２の幅方向内側のブラケット取り付け部１１にボルト締結等により固定されている。座支持部１８は、側面視でブラケット取り付け部１１の枠部１１ａと同様の矩形状をなし、枠部１１ａの幅方向内側端にスペーサ部材２５を介して当接した状態で固定されている。枠部１１ａの幅方向内側端は、座支持部１８（支持ブラケット１５）等を取り付ける取り付け面１１ａ１を形成している。取り付け面１１ａ１は、脚本体６の内側面および肉抜き凹部１２よりも幅方向外側に位置している。
【００２８】
背支持部１９は、座支持部１８の後方でブラケット本体１６の上下幅を増すように縦長に設けられている。背支持部１９は、座支持部１８の後方に同等の上下幅で連なる中段部１９ａと、中段部１９ａの下方へ張り出す下段部１９ｂと、中段部１９ａの上方へ下部よりも大きくかつ先細りに延びる上段部１９ｃと、を有している。背支持部１９は、座支持部１８と面一状に一体形成されている。
【００２９】
背支持部１９は、側面視で背凭れの傾斜に沿う後縁部１９ｄを形成し、この後縁部１９ｄから幅方向内側へ固定フランジ１９ｅを延ばしている。固定フランジ１９ｅは、背ベース板４ｃの前面を当接させ、ボルト締結等により背ベース板４ｃを支持、固定している。ブラケット本体１６は、例えば鋼板に曲げ加工を施して一体形成されている。枢軸１７は、例えば丸鋼管で形成され、ブラケット本体１６に溶接またはカシメ等により結合されている。
【００３０】
連結椅子１００において、幅方向で最も外側（最外側）に位置する外側脚部材２Ｂには、電気配線２３が接続される機能部品として、接地脚５近傍の床面Ｆを照らす照明灯２１が取り付けられている。本実施形態の照明灯２１は、支持ブラケット１５における背支持部１９の中段部１９ａの外側面に取り付けられている。照明灯２１は、略直方体状をなし、長方形状の内側面を背支持部１９の外側面に対向させている。
【００３１】
図７を併せて参照し、背支持部１９の中段部１９ａの外側面には、中空箱状の台座部材２２が固定されている。台座部材２２は、前後壁部２２ａ，２２ｂ、上壁部２２ｃおよび外側壁部２２ｄを有するとともに、下部開放部２２ｅを形成している。台座部材２２の外側壁部２２ｄは、脚部材２の外側面と面一状の外側面を形成している。支持ブラケット１５は、脚部材２の幅方向内側に取り付けられているので、支持ブラケット１５の外側面は、脚部材２の外側面よりも幅方向内側に位置している。この支持ブラケット１５の幅方向外側に取り付けられる台座部材２２が、脚部材２の外側面と面一状の外側面を形成している。支持ブラケット１５の外側面には、照明灯２１が取り付けられている。照明灯２１は、台座部材２２を介して支持ブラケット１５に支持、固定されている。
【００３２】
図３、図４、図６を参照し、外側脚部材２Ｂにおいて、内側面に形成される肉抜き凹部１２は、照明灯２１に至る電気配線２３を収容するように配置可能な配線配置部１２Ｃとして機能する。電気配線２３は、例えば床下配線に連続する（またはコンセントプラグを介して接続される）配線であり、照明灯２１に電力を供給する。
【００３３】
そして、図４〜図６に示すように、支持ブラケット１５の座支持部１８と脚部材２のブラケット取り付け部１１との間には、座支持部１８とブラケット取り付け部１１とを幅方向で離間させるスペーサ部材２５が設けられている。
【００３４】
スペーサ部材２５は、第一板部材２６と第二板部材２７とを有している。第一板部材２６は、座支持部１８とブラケット取り付け部１１との間に挟まれる側面視矩形状の平板部２６ａと、平板部２６ａの上下端縁から幅方向外側に屈曲して起立する上下フランジ部２６ｂと、を有している。第一板部材２６は、例えば鋼板に曲げ加工を施して一体形成され、支持ブラケット１５の座支持部１８の外側面に溶接等の手段により結合されている。上下フランジ部２６ｂは、ブラケット取り付け部１１の枠部１１ａに上方および下方から近接し、枠部１１ａと幅方向位置をラップさせている。第一板部材２６を予め支持ブラケット１５に固定しておくことで、支持ブラケット１５（ひいては支持ブラケット１５と座体３および背凭れ４との組み付け体）を脚部材２に組み付ける際、脚部材２に対する支持ブラケット１５の上下方向の位置合わせを行いやすく、椅子１の施工が容易になる。
【００３５】
第二板部材２７は、第一板部材２６の平板部２６ａの幅方向外側に重なるように配置されている。第二板部材２７は、例えば側面視矩形状をなし、第一板部材２６よりも薄い鋼板で平板状に形成され、支持ブラケット１５とともにブラケット取り付け部１１にボルト締結等により共締め固定されている。第二板部材２７の厚さは、上下フランジ部２６ｂの起立高さよりも小とされている。
【００３６】
このスペーサ部材２５により、座支持部１８とブラケット取り付け部１１とは、スペーサ部材２５の幅方向の厚さ分だけ離間する。照明灯２１を取り付ける外側脚部材２Ｂにおいては、スペーサ部材２５の厚さ分だけ配線スペースが確保される。
【００３７】
図３を併せて参照し、電気配線２３は、配線配置部１２Ｃの内側面に沿って照明灯２１近傍の高さ（照明灯２１およびブラケット取り付け部１１よりも下方かつ支持ブラケット１５の背支持部１９の下端よりも上方）まで案内されている。電気配線２３は、脚部材２の幅方向内側の配線配置部１２Ｃ内（肉抜き凹部１２内）に配置されることで、着座者の脚に接触し難く、かつ幅方向外側の通路に露出しないので、通路を歩く歩行者にも接触せず、かつ外観性や通路の清掃にも影響しない。
【００３８】
図７を併せて参照し、台座部材２２の前壁部２２ａにおける枢軸１７よりも下方に位置する下端部には、電気配線２３を台座部材２２の外側から内側へ導入可能とする切り欠き部２２ａ１が形成されている。電気配線２３は、床面Ｆから上方へ延び、凹状の配線配置部１２Ｃの内側を照明灯２１近傍の高さまで上昇する。その後、電気配線２３は、スペーサ部材２５の直下で切り欠き部２２ａ１に向けて後方へ屈曲し、枢軸１７を避けるように台座部材２２内に入り込む。このとき、座支持部１８およびブラケット取り付け部１１がスペーサ部材２５を介して幅方向に離間しているので、座支持部１８およびブラケット取り付け部１１の間に電気配線２３を通しやすい。支持ブラケット１５の背支持部１９はスペーサ部材２５よりも上下幅が広く、背支持部１９の下段部１９ｂは、電気配線２３が幅方向内側へ移動することを防止する。
【００３９】
台座部材２２における照明灯２１を固定する外側壁部２２ｄには、側面視で照明灯２１の配線接続部と重なる部位に、電気配線２３を幅方向内側から幅方向外側へ引き出し可能とする開口部２２ｄ１が形成されている。電気配線２３は、台座部材２２内に入り込んだ後、適宜の高さで開口部２２ｄ１に向けて幅方向外側に屈曲し、開口部２２ｄ１を通じて照明灯２１に至って接続される。電気配線２３は、脚部材２の幅方向外側に至った後に再度屈曲することなく直接的に照明灯２１に接続されるので、電気配線２３の配索が容易であり、もって椅子１の施工作業を容易にすることができる。
【００４０】
以上説明したように、本実施形態の椅子１は、座体３と、座体３の幅方向の外側を支持ブラケット１５の座支持部１８を介して支持する脚部材２と、脚部材２に固定された支持ブラケット１５の背支持部１９の幅方向外側に取り付け可能な照明灯２１と、を備え、脚部材２における幅方向内側には、照明灯２１に至る電気配線２３を配置可能な配線配置部１２Ｃと、支持ブラケット１５の座支持部１８が取り付けられるブラケット取り付け部１１と、を備え、背支持部１９に照明灯２１が取り付けられる外側脚部材２Ｂには、座支持部１８とブラケット取り付け部１１との間に、座支持部１８とブラケット取り付け部１１とを幅方向で離間させるスペーサ部材２５を備えている。
【００４１】
この構成によれば、照明灯２１等の照明灯２１が取り付けられる脚部材２において、スペーサ部材２５を介して座支持部１８およびブラケット取り付け部１１を幅方向で離間させることで、配線配置部１２Ｃの幅方向位置によらず、座支持部１８およびブラケット取り付け部１１の間に配線スペースが確保されて電気配線２３を通しやすくなる。このため、脚部材２の幅方向内側に沿って電気配線２３を照明灯２１と同等の高さまで案内した後、座支持部１８およびブラケット取り付け部１１の間のスペースを利用して、少ない屈曲で電気配線２３を照明灯２１に至らしめることが可能となる。その際、支持ブラケット１５は、電気配線２３が幅方向内側へ向かうことを防止する壁部としても機能する。したがって、別途カバー部材を要することなく、電気配線２３と座体３や着座者の脚との干渉を防止した上で、少ない屈曲作業で電気配線２３を容易に照明灯２１に至らしめることができる。
【００４２】
また、本実施形態の椅子１において、スペーサ部材２５は、座支持部１８およびブラケット取り付け部１１の少なくとも一方に対して固着されている。
この構成によれば、施工時の部品点数を減らすことができ、施工を容易にしてコストダウンを図ることができる。
【００４３】
また、本実施形態の椅子１において、座体３は、幅方向に沿う枢軸１７を介して、座支持部１８に回動可能に支持されている。
この構成によれば、座体３が枢軸１７回りに回動する椅子１において、座体３と電気配線２３との干渉を効果的に抑止することができる。
【００４４】
また、本実施形態の椅子１において、背支持部１９の台座部材２２における側面視で照明灯２１と重なる部位には、電気配線２３を幅方向内側から外側へ引き出し可能とする開口部２２ｄ１を備えている。
この構成によれば、脚部材２の幅方向内側に沿って電気配線２３を照明灯２１と同等の高さまで案内した後、開口部２２ｄ１を通じて電気配線２３を容易に照明灯２１に至らしめることができる。
【００４５】
また、本実施形態の椅子１において、座支持部１８と背支持部１９とは互いに一体化されて支持ブラケット１５を構成している。
この構成によれば、座支持部１８および背支持部１９を別体として個々に脚部材２に取り付ける場合に比して、部品点数を削減し、かつ取り付け構造を簡素化し、さらに施工を容易にすることで、軽量化およびコストダウンを図ることができる。
【００４６】
＜第二実施形態＞
次に、本発明の第二実施形態について、図８〜図１２を参照して説明する。
この実施形態の椅子５１および連結椅子１０１は、前記第一実施形態の椅子１および連結椅子１００に対して、最外側の脚部材２（照明灯２１が取り付けられる外側脚部材２Ｂ）が個別脚本体６Ｂではなく共通脚本体６Ａを備え、この外側脚部材２Ｂの幅方向外側のブラケット取り付け部１１に照明灯２１が取り付けられる点で特に異なる。その他の、前記実施形態と同一構成には同一符号を付して詳細説明は省略する。
【００４７】
照明灯２１は、外側脚部材２Ｂの幅方向外側のブラケット取り付け部１１に、中間プレート２８を介して取り付けられている。中間プレート２８は、ブラケット取り付け部１１と照明灯２１との側面視形状の相違を補うもので、例えば側面視矩形状の鋼板で構成されている。中間プレート２８は、照明灯２１とともにブラケット取り付け部１１に共締め固定されている。
【００４８】
本実施形態の支持ブラケット１５の座支持部１８には、枢軸１７の下方に離間して切り欠き部１８ａ１が形成されている。切り欠き部１８ａ１は、座支持部１８の下方に向けて開放している。
また、本実施形態のスペーサ部材２５には、座支持部１８の切り欠き部１８ａ１と幅方向で重なるように切り欠き部２５ａ１が形成されている。
【００４９】
電気配線２３は、配線配置部１２Ｃの内側面に沿って照明灯２１近傍の高さ（照明灯２１およびブラケット取り付け部１１よりも下方かつ支持ブラケット１５の背支持部１９の下端よりも上方）まで案内された後、座支持部１８およびスペーサ部材２５の両切り欠き部１８ａ１，２５ａ１を通じて、脚部材２の幅方向内側のブラケット取り付け部１１の凹部１１ｂ内に導入される。これにより、電気配線２３は、枢軸１７を上下方向および幅方向で避けるように配索されることとなる。
【００５０】
ここで、共通脚本体６Ａにおける幅方向内側および外側の両ブラケット取り付け部１１の凹部１１ｂ間には、薄肉の隔壁部１１ｅが形成されている。隔壁部１１ｅには、座支持部１８およびスペーサ部材２５の両切り欠き部１８ａ１，２５ａ１と少なくとも一部が幅方向で対向するように、開口部１１ｅ１が形成されている。
切り欠き部１８ａ１，２５ａ１から脚部材２の幅方向内側のブラケット取り付け部１１の凹部１１ｂ内に入り込んだ電気配線２３は、隔壁部１１ｅの開口部１１ｅ１を通じて、脚部材２の幅方向外側のブラケット取り付け部１１の凹部１１ｂ内に自然に導入される。
【００５１】
中間プレート２８には、側面視で照明灯２１の配線接続部と重なる部位に開口部２７ａ１が形成されている。電気配線２３は、脚部材２の幅方向外側のブラケット取り付け部１１の凹部１１ｂ内に入り込んだ後、適宜の高さで開口部２７ａ１に向けて幅方向外側に屈曲し、開口部２７ａ１を通じて照明灯２１に至って接続される。
【００５２】
以上説明したように、本実施形態の椅子１においても、脚部材２の幅方向内側に沿って電気配線２３を折り曲げることなく照明灯２１と同等の高さまで案内した後、少ない屈曲で電気配線２３を照明灯２１に至らしめることが可能となる。その際、電気配線２３は凹状の配線配置部１２Ｃの内側を上方へ延び、かつ枢軸１７から離れた位置で幅方向外側へ取り回される。したがって、別途カバー部材を要することなく、電気配線２３と座体３や着座者の脚との干渉を防止した上で、少ない屈曲作業で電気配線２３を容易に照明灯２１に至らしめることができる。
【００５３】
なお、本発明は上記実施形態に限られるものではなく、例えば、スペーサ部材２５は、第二板部材２７を備えなくてもよく、またフランジ部２６ｂの有無等を含め、本実施形態と異なる形態であってもよい。
【００５４】
脚部材２は、照明灯２１の有無によらず座体３を支持するが、照明灯２１が取り付けられる脚部材２のみスペーサ部材２５を設けてもよい。すなわち、照明灯２１が取り付けられない中間脚部材２Ａは、スペーサ部材２５を有さず、第一の幅方向位置Ｐ１で座体３を支持した第一の座支持状態となり、照明灯２１が取り付けられる外側脚部材２Ｂは、スペーサ部材２５を有し、第一の幅方向位置Ｐ１よりもスペーサ部材２５の厚さ分だけ外側の第二の幅方向位置Ｐ２で座体３を支持した第二の座支持状態となる。この場合、照明灯２１が取り付けられる脚部材２と、照明灯２１が取り付けられない脚部材２とを、スペーサ部材２５の有無によって共用可能となるため、脚部材２の種類を減らしてコストダウンを図ることができる。
またこのとき、スペーサ部材２５は、脚部材２に対し、支持ブラケット１５とともに締結等により着脱可能に固定されてもよい。すなわち、スペーサ部材２５は、座支持部１８およびブラケット取り付け部１１の両方に対して着脱可能となる。この場合、スペーサ部材２５の有無（着脱）によって、機能部品が取り付けられる脚部材２と、機能部品が取り付けられない脚部材２とを、容易に切り替え可能となり、施工および部品管理を容易にしてコストダウンを図ることができる。
【００５５】
上記実施形態においては、椅子１を複数並べて連結した連結椅子１００への適用を例示したが、単体の椅子１に適用してもよい。また、跳ね上げ式の座体３ではなく回動不能に固定された座体３を有する椅子１に適用してもよい。背支持部１９および座支持部１８が互いに別体をなして溶接等により一体化されたり、互いに別体の座支持部１８および脚部材２が個別に脚部材２に固定される構成でもよい。
電気配線２３は、床下配線に接続されるものの他、椅子１または床面Ｆ上に設置される各種電気装置（バッテリおよび電力変換器等の電源ユニット、中継端子、ルータ等の通信機器、等）に接続されるものでもよい。
脚部材２に取り付ける機能部品として、照明灯２１の他、表示装置、スピーカ、および機器接続部（コンセント、ポート及びジャック等の配線差込口、さらには非接触で外部機器と電気的に接続可能な電力供給部や通信部を含む。）であってもよい。
そして、上記実施形態における構成は本発明の一例であり、当該発明の要旨を逸脱しない範囲で種々の変更が可能である。
【符号の説明】
【００５６】
１，５１  椅子
２  脚部材
２Ａ  中間脚部材（機能部品が取り付けられない脚部材）
２Ｂ  外側脚部材（機能部品が取り付けられる脚部材）
３，３’  座体
６  脚本体
６Ａ  共通脚本体（脚本体）
６Ｂ  個別脚本体（脚本体）
１１  ブラケット取り付け部（部材取り付け部）
１５  支持ブラケット
１７  枢軸
１８  座支持部（座支持部材）
１９  背支持部（付設部材）
２１  照明灯（機能部品）
２２ｄ  外側壁部（側面視で機能部品と重なる部位）
２２ｄ１，２８ａ１  開口部
２５  スペーサ部材
２８  中間プレート（側面視で機能部品と重なる部位）
１００，１０１  連結椅子
Ｐ１  第一の幅方向位置
Ｐ２  第二の幅方向位置
【図１】
2018164668.tif 000003
【図２】
2018164668.tif 000004
【図３】
2018164668.tif 000005
【図４】
2018164668.tif 000006
【図５】
2018164668.tif 000007
【図６】
2018164668.tif 000008
【図７】
2018164668.tif 000009
【図８】
2018164668.tif 000010
【図９】
2018164668.tif 000011
【図１０】
2018164668.tif 000012
【図１１】
2018164668.tif 000013
【図１２】
2018164668.tif 000014